(57)【要約】【課題】１本で目的とする魚種に応じた所望サイズの連結用輪状部を容易に作成することができる連結具と、自然な“揺らぎ”が得られる連結方法、釣り針、ルアーの提供。【解決手段】紐の一端に、輪状部を設けた連結具；針状硬質部の基端部に紐製輪状部を設けた連結具；チューブ状紐の一端に針状硬質部を設けた連結具；少なくとも連結用輪状部を設ける手順を有する連結方法、連結用輪状部を備えた釣り針の製造方法及び釣り針を備えたルアーの製造方法。【選択図】図２
2010110274.tif 000002
【特許請求の範囲】
【請求項１】
紐の一端に、輪状部が形成されていることを特徴とする釣り針用又はルアー本体用連結具。
【請求項２】
前記紐の他端に、針状硬質部が形成されていることを特徴とする請求項１記載の釣り針用又はルアー本体用連結具。
【請求項３】
針状硬質部の基端部に、紐製輪状部が形成されていることを特徴とする釣り針用又はルアー本体用連結具。
【請求項４】
中空部を有するチューブ状紐の一端に、針状硬質部が形成されていることを特徴とする釣り針用又はルアー本体用連結具。
【請求項５】
前記針状硬質部が、先細り状とした紐部を合成樹脂で硬化せしめたものであることを特徴とする請求項２〜４の何れか１項記載の釣り針用又はルアー本体用連結具。
【請求項６】
請求項１記載の連結具の紐の端部輪状部に紐の他端を通して締め付け用輪状部を形成した後、紐の他端を釣り針の孔部に通すと共に、当該締め付け用輪状部にも通し、次いで紐の他端を引きつつ当該締め付け用輪状部にて締め付けることにより所望の大きさの連結用輪状部を形成し、次いで当該連結用輪状部以外の紐部で結び目を形成することにより当該連結用輪状部の大きさを保持固定した後、当該連結用輪状部にラインを結び付けることを特徴とする釣り針をラインに連結する方法。
【請求項７】
請求項１記載の連結具の紐の端部輪状部に紐の他端を通して締め付け用輪状部を形成した後、紐の他端を釣り針の孔部とルアー本体の釣り針連結用孔部に通すと共に、当該締め付け用輪状部にも通し、次いで紐の他端を引きつつ当該締め付け用輪状部にて締め付けることにより所望の大きさの連結用輪状部を形成し、次いで当該連結用輪状部以外の紐部で結び目を形成することにより当該連結用輪状部の大きさを保持固定することを特徴とする釣り針をルアー本体に連結する方法。
【請求項８】
請求項１記載の連結具の紐の端部輪状部に紐の他端を通して締め付け用輪状部を形成した後、紐の他端をルアー本体のライン連結用孔部に通すと共に、当該締め付け用輪状部にも通し、次いで紐の他端を引きつつ当該締め付け用輪状部にて締め付けることにより所望の大きさの連結用輪状部を形成し、次いで当該連結用輪状部以外の紐部で結び目を形成することにより当該連結用輪状部の大きさを保持固定した後、当該連結用輪状部にラインを結び付けることを特徴とするルアー本体をラインに連結する方法。
【請求項９】
請求項２記載の連結具の紐の端部輪状部に針状硬質部を通して締め付け用輪状部を形成した後、紐の針状硬質部を釣り針の孔部に通すと共に、当該締め付け用輪状部にも通し、次いで紐の針状硬質部を引きつつ当該締め付け用輪状部にて締め付けることにより所望の大きさの連結用輪状部を形成し、次いで当該連結用輪状部以外の紐部に針状硬質部を突刺貫通せしめた後、結び目を形成することにより当該連結用輪状部の大きさを保持固定し、次いで当該連結用輪状部にラインを結び付けることを特徴とする釣り針をラインに連結する方法。
【請求項１０】
請求項２記載の連結具の紐の端部輪状部に針状硬質部を通して締め付け用輪状部を形成した後、紐の針状硬質部を釣り針の孔部と、ルアー本体の釣り針連結用孔部に通すと共に、当該締め付け用輪状部にも通し、次いで紐の針状硬質部を引きつつ当該端部輪状部にて締め付けることにより所望の大きさの連結用輪状部を形成し、次いで当該連結用輪状部以外の紐部に針状硬質部を突刺貫通せしめた後、結び目を形成することにより当該連結用輪状部の大きさを保持固定し、次いで当該連結用輪状部にラインを結び付けることを特徴とする釣り針をルアー本体に連結する方法。
【請求項１１】
請求項２記載の連結具の紐の端部輪状部に針状硬質部を通して締め付け用輪状部を形成した後、紐の針状硬質部をルアー本体のライン連結用孔部に通すと共に、当該締め付け用輪状部にも通し、次いで紐の針状硬質部を引きつつ当該端部輪状部にて締め付けることにより所望の大きさの連結用輪状部を形成し、次いで当該連結用輪状部以外の紐部に針状硬質部を突刺貫通せしめた後、結び目を形成することにより当該連結用輪状部の大きさを保持固定し、次いで当該連結用輪状部にラインを結び付けることを特徴とするルアー本体をラインに連結する方法。
【請求項１２】
請求項２記載の連結具の針状硬質部を、釣り針の孔部に通した後、紐の端部輪状部に通すと共に、紐の適宜部位に突刺貫通せしめて釣り針が存在しない側に締め付け用輪状部を形成し、次いで針状硬質部を外方に引きつつ当該締め付け用輪状部にて締め付けることにより所望の大きさの連結用輪状部を形成し、次いで針状硬質部を当該連結用輪状部に巻き通して結び目を形成することにより当該連結用輪状部の大きさを保持固定した後、当該連結用輪状部にラインを結び付けることを特徴とする釣り針をラインに連結する方法。
【請求項１３】
請求項２記載の連結具の針状硬質部を、釣り針の孔部とルアー本体の釣り針連結用孔部に通した後、紐の端部輪状部に通すと共に、紐の適宜部位に突刺貫通せしめて釣り針とルアー本体が存在しない側に締め付け用輪状部を形成し、次いで針状硬質部を外方に引きつつ当該締め付け用輪状部にて締め付けることにより所望の大きさの連結用輪状部を形成し、次いで針状硬質部を当該連結用輪状部に巻き通して結び目を形成することにより当該連結用輪状部の大きさを保持固定することを特徴とする釣り針をルアー本体に連結する方法。
【請求項１４】
請求項２記載の連結具の針状硬質部を、ルアー本体のライン連結用孔部に通した後、紐の端部輪状部に通すと共に、紐の適宜部位に突刺貫通せしめてルアー本体の存在しない側に締め付け用輪状部を形成し、次いで針状硬質部を外方に引きつつ当該締め付け用輪状部にて締め付けることにより所望の大きさの連結用輪状部を形成し、次いで針状硬質部を当該連結用輪状部に巻き通して結び目を形成することにより当該連結用輪状部の大きさを保持固定した後、当該連結用輪状部にラインを結び付けることを特徴とするルアー本体をラインに連結する方法。
【請求項１５】
請求項３記載の連結具の針状硬質部を、紐の端部に形成されている半輪状部に通して締め付け用輪状部を形成した後、針状硬質部を釣り針の孔部に通すと共に、当該締め付け用輪状部にも通し、次いで当該針状硬質部を引きつつ締め付け用輪状部にて締め付けることにより所望の大きさの連結用輪状部を形成し、次いで当該連結用輪状部以外の紐部に針状硬質部を突刺貫通せしめた後、結び目を形成することにより当該連結用輪状部の大きさを保持固定し、次いで当該連結用輪状部にラインを結び付けることを特徴とする釣り針をラインに連結する方法。
【請求項１６】
請求項３記載の連結具の針状硬質部を、紐の端部に形成されている半輪状部に通して締め付け用輪状部を形成した後、針状硬質部を釣り針の孔部とルアー本体の釣り針連結用孔部に通すと共に、当該締め付け用輪状部にも通し、次いで当該針状硬質部を引きつつ締め付け用輪状部にて締め付けることにより所望の大きさの連結用輪状部を形成し、次いで当該連結用輪状部以外の紐部に針状硬質部を突刺貫通せしめた後、結び目を形成することにより当該連結用輪状部の大きさを保持固定し、次いで当該連結用輪状部にラインを結び付けることを特徴とする釣り針をルアー本体に連結する方法。
【請求項１７】
請求項３記載の連結具の針状硬質部を、紐の端部に形成されている半輪状部に通して締め付け用輪状部を形成した後、針状硬質部をルアー本体のライン連結用孔部に通すと共に、当該締め付け用輪状部にも通し、次いで当該針状硬質部を引きつつ締め付け用輪状部にて締め付けることにより所望の大きさの連結用輪状部を形成し、次いで当該連結用輪状部以外の紐部に針状硬質部を突刺貫通せしめた後、結び目を形成することにより当該連結用輪状部の大きさを保持固定し、次いで当該連結用輪状部にラインを結び付けることを特徴とするルアー本体をラインに連結する方法。
【請求項１８】
請求項３記載の連結具の針状硬質部を、釣り針の孔部に通した後、紐の端部に形成されている半輪状部に針状硬質部を通すと共に、紐の適宜部位に針状硬質部を突刺貫通せしめて釣り針が存在しない側に締め付け用輪状部を形成し、次いで針状硬質部を外方に引きつつ当該締め付け用輪状部にて締め付けることにより所望の大きさの連結用輪状部を形成し、次いで針状硬質部を当該連結用輪状部に巻き通して結び目を形成することにより当該連結用輪状部の大きさを保持固定した後、当該連結用輪状部にラインを結び付けることを特徴とする釣り針をラインに連結する方法。
【請求項１９】
請求項３記載の連結具の針状硬質部を、釣り針の孔部とルアー本体の釣り針連結用孔部に通した後、紐の端部に形成されている半輪状部に針状硬質部を通すと共に、紐の適宜部位に針状硬質部を突刺貫通せしめて釣り針とルアー本体が存在しない側に締め付け用輪状部を形成し、次いで針状硬質部を外方に引きつつ当該締め付け用輪状部にて締め付けることにより所望の大きさの連結用輪状部を形成し、次いで針状硬質部を当該連結用輪状部に巻き通して結び目を形成することにより当該連結用輪状部の大きさを保持固定することを特徴とする釣り針をルアー本体に連結する方法。
【請求項２０】
請求項３記載の連結具の針状硬質部を、ルアー本体のライン連結用孔部に通した後、紐の端部に形成されている半輪状部に針状硬質部を通すと共に、紐の適宜部位に針状硬質部を突刺貫通せしめてルアー本体が存在しない側に締め付け用輪状部を形成し、次いで針状硬質部を外方に引きつつ当該締め付け用輪状部にて締め付けることにより所望の大きさの連結用輪状部を形成し、次いで針状硬質部を当該連結用輪状部に巻き通して結び目を形成することにより当該連結用輪状部の大きさを保持固定した後、当該連結用輪状部にラインを結び付けることを特徴とするルアー本体をラインに連結する方法。
【請求項２１】
請求項４記載の連結具の針状硬質部を、釣り針の孔部に通した後、当該針状硬質部をチューブ状紐の他端中空開口部から挿入すると共に、適宜部位にて外部に突き抜けさせることにより所望の大きさの連結用輪状部を形成した後、当該連結用輪状部にラインを結び付けることを特徴とする釣り針をラインに連結する方法。
【請求項２２】
請求項４記載の連結具の針状硬質部を、釣り針の孔部とルアー本体の釣り針連結用孔部に通した後、当該針状硬質部をチューブ状紐の他端中空開口部から挿入すると共に、適宜部位にて外部に突き抜けさせることにより所望の大きさの連結用輪状部を形成することを特徴とする釣り針をルアー本体に連結する方法。
【請求項２３】
請求項４記載の連結具の針状硬質部を、ルアー本体のライン連結用孔部に通した後、当該針状硬質部をチューブ状紐の他端中空開口部から挿入すると共に、適宜部位にて外部に突き抜けさせることにより所望の大きさの連結用輪状部を形成した後、当該連結用輪状部にラインを結び付けることを特徴とするルアー本体をラインに連結する方法。
【請求項２４】
１本の紐を二ツ折して半輪状部を形成し、次いで紐の端部を当該半輪状部に通して締め付け用輪状部を形成した後、紐の端部を釣り針の孔部に通すと共に、当該締め付け用輪状部にも通し、次いで当該紐の端部を引きつつ締め付け用輪状部にて締め付けることにより所望の大きさの連結用輪状部を形成し、次いで当該連結用輪状部以外の紐部で結び目を形成することにより当該連結用輪状部の大きさを保持固定し、次いで当該連結用輪状部にラインを結び付けることを特徴とする釣り針をラインに連結する方法。
【請求項２５】
１本の紐を二ツ折して半輪状部を形成し、次いで紐の端部を当該半輪状部に通して締め付け用輪状部を形成した後、紐の端部を釣り針の孔部とルアー本体の釣り針連結用孔部に通すと共に、当該締め付け用輪状部にも通し、次いで当該紐の端部を引きつつ締め付け用輪状部にて締め付けることにより所望の大きさの連結用輪状部を形成し、次いで当該連結用輪状部以外の紐部で結び目を形成することにより当該連結用輪状部の大きさを保持固定し、次いで当該連結用輪状部にラインを結び付けることを特徴とする釣り針をルアー本体に連結する方法。
【請求項２６】
１本の紐を二ツ折して半輪状部を形成し、次いで紐の端部を当該半輪状部に通して締め付け用輪状部を形成した後、紐の端部をルアー本体のライン連結用の孔部に通すと共に、当該締め付け用輪状部にも通し、次いで当該紐の端部を引きつつ締め付け用輪状部にて締め付けることにより所望の大きさの連結用輪状部を形成し、次いで当該連結用輪状部以外の紐部で結び目を形成することにより当該連結用輪状部の大きさを保持固定し、次いで当該連結用輪状部にラインを結び付けることを特徴とするルアー本体をラインに連結する方法。
【請求項２７】
請求項１記載の連結具の紐の端部輪状部に紐の他端を通して締め付け用輪状部を形成した後、紐の他端を釣り針の孔部に通すと共に、当該締め付け用輪状部にも通し、次いで紐の他端を引きつつ当該締め付け用輪状部にて締め付けることにより所望の大きさの連結用輪状部を形成し、次いで当該連結用輪状部以外の紐部で結び目を形成することにより当該連結用輪状部の大きさを保持固定することを特徴とする連結用輪状部を備えた釣り針の製造方法。
【請求項２８】
請求項２記載の連結具の紐の端部輪状部に針状硬質部を通して締め付け用輪状部を形成した後、紐の針状硬質部を釣り針の孔部に通すと共に、当該締め付け用輪状部にも通し、次いで紐の針状硬質部を引きつつ当該締め付け用輪状部にて締め付けることにより所望の大きさの連結用輪状部を形成し、次いで当該連結用輪状部以外の紐部に針状硬質部を突刺貫通せしめた後、結び目を形成することにより当該連結用輪状部の大きさを保持固定することを特徴とする連結用輪状部を備えた釣り針の製造方法。
【請求項２９】
請求項２記載の連結具の針状硬質部を、釣り針の孔部に通した後、紐の端部輪状部に通すと共に、紐の適宜部位に突刺貫通せしめて釣り針が存在しない側に締め付け用輪状部を形成し、次いで針状硬質部を外方に引きつつ当該締め付け用輪状部にて締め付けることにより所望の大きさの連結用輪状部を形成し、次いで針状硬質部を当該連結用輪状部に巻き通して結び目を形成することにより当該連結用輪状部の大きさを保持固定することを特徴とする連結用輪状部を備えた釣り針の製造方法。
【請求項３０】
請求項３記載の連結具の針状硬質部を、紐の端部に形成されている半輪状部に通して締め付け用輪状部を形成した後、針状硬質部を釣り針の孔部に通すと共に、当該締め付け用輪状部にも通し、次いで当該針状硬質部を引きつつ締め付け用輪状部にて締め付けることにより所望の大きさの連結用輪状部を形成し、次いで当該連結用輪状部以外の紐部に針状硬質部を突刺貫通せしめた後、結び目を形成することにより当該連結用輪状部の大きさを保持固定することを特徴とする連結用輪状部を備えた釣り針の製造方法。
【請求項３１】
請求項３記載の連結具の針状硬質部を、釣り針の孔部に通した後、紐の端部に形成されている半輪状部に針状硬質部を通すと共に、紐の適宜部位に針状硬質部を突刺貫通せしめて釣り針が存在しない側に締め付け用輪状部を形成し、次いで針状硬質部を外方に引きつつ当該締め付け用輪状部にて締め付けることにより所望の大きさの連結用輪状部を形成し、次いで針状硬質部を当該連結用輪状部に巻き通して結び目を形成することにより当該連結用輪状部の大きさを保持固定することを特徴とする連結用輪状部を備えた釣り針の製造方法。
【請求項３２】
請求項４記載の連結具の針状硬質部を、釣り針の孔部に通した後、当該針状硬質部をチューブ状紐の他端中空開口部から挿入すると共に、適宜部位にて外部に突き抜けさせることにより所望の大きさの連結用輪状部を形成することを特徴とする連結用輪状部を備えた釣り針の製造方法。
【請求項３３】
１本の紐を二ツ折して半輪状部を形成し、次いで紐の端部を当該半輪状部に通して締め付け用輪状部を形成した後、紐の端部を釣り針の孔部に通すと共に、当該締め付け用輪状部にも通し、次いで当該紐の端部を引きつつ締め付け用輪状部にて締め付けることにより所望の大きさの連結用輪状部を形成し、次いで当該連結用輪状部以外の紐部で結び目を形成することにより当該連結用輪状部の大きさを保持固定することを特徴とする連結用輪状部を備えた釣り針の製造方法。
【請求項３４】
請求項１記載の連結具の紐の端部輪状部に紐の他端を通して締め付け用輪状部を形成した後、紐の他端を釣り針の孔部とルアー本体の釣り針連結用孔部に通すと共に、当該締め付け用輪状部にも通し、次いで紐の他端を引きつつ当該締め付け用輪状部にて締め付けることにより所望の大きさの連結用輪状部を形成し、次いで当該連結用輪状部以外の紐部で結び目を形成することにより当該連結用輪状部の大きさを保持固定することを特徴とする釣り針を備えたルアーの製造方法。
【請求項３５】
請求項２記載の連結具の紐の端部輪状部に針状硬質部を通して締め付け用輪状部を形成した後、紐の針状硬質部を釣り針の孔部と、ルアー本体の釣り針連結用孔部に通すと共に、当該締め付け用輪状部にも通し、次いで紐の針状硬質部を引きつつ当該端部輪状部にて締め付けることにより所望の大きさの連結用輪状部を形成し、次いで当該連結用輪状部以外の紐部に針状硬質部を突刺貫通せしめた後、結び目を形成することにより当該連結用輪状部の大きさを保持固定することを特徴とする釣り針を備えたルアーの製造方法。
【請求項３６】
請求項２記載の連結具の針状硬質部を、釣り針の孔部とルアー本体の釣り針連結用孔部に通した後、紐の端部輪状部に針状硬質部を通すと共に、紐の適宜部位に針状硬質部を突刺貫通せしめて釣り針とルアー本体が存在しない側に締め付け用輪状部を形成し、次いで針状硬質部を外方に引きつつ当該締め付け用輪状部にて締め付けることにより所望の大きさの連結用輪状部を形成し、次いで針状硬質部を当該連結用輪状部に巻き通して結び目を形成することにより当該連結用輪状部の大きさを保持固定することを特徴とする釣り針を備えたルアーの製造方法。
【請求項３７】
請求項３記載の連結具の針状硬質部を、紐の端部に形成されている半輪状部に通して締め付け用輪状部を形成した後、針状硬質部を釣り針の孔部とルアー本体の釣り針連結用孔部に通すと共に、当該締め付け用輪状部にも通し、次いで当該針状硬質部を引きつつ締め付け用輪状部にて締め付けることにより所望の大きさの連結用輪状部を形成し、次いで当該連結用輪状部以外の紐部に針状硬質部を突刺貫通せしめた後、結び目を形成することにより当該連結用輪状部の大きさを保持固定することを特徴とする釣り針を備えたルアーの製造方法。
【請求項３８】
請求項３記載の連結具の針状硬質部を、釣り針の孔部とルアー本体の釣り針連結用孔部に通した後、紐の端部に形成されている半輪状部に針状硬質部を通すと共に、紐の適宜部位に針状硬質部を突刺貫通せしめて釣り針とルアー本体が存在しない側に締め付け用輪状部を形成し、次いで針状硬質部を外方に引きつつ当該締め付け用輪状部にて締め付けることにより所望の大きさの連結用輪状部を形成し、次いで針状硬質部を当該連結用輪状部に巻き通して結び目を形成することにより当該連結用輪状部の大きさを保持固定することを特徴とする釣り針を備えたルアーの製造方法。
【請求項３９】
請求項４記載の連結具の針状硬質部を、釣り針の孔部とルアー本体の釣り針連結用孔部に通した後、当該針状硬質部をチューブ状紐の他端中空開口部から挿入すると共に、適宜部位にて外部に突き抜けさせて所望の大きさの連結用輪状部を形成することを特徴とする釣り針を備えたルアーの製造方法。
【請求項４０】
１本の紐を二ツ折して半輪状部を形成し、次いで紐の端部を当該半輪状部に通して締め付け用輪状部を形成した後、紐の端部を釣り針の孔部とルアー本体の釣り針連結用孔部に通すと共に、当該締め付け用輪状部にも通し、次いで当該紐の端部を引きつつ締め付け用輪状部にて締め付けることにより所望の大きさの連結用輪状部を形成し、次いで当該連結用輪状部以外の紐部で結び目を形成することにより当該連結用輪状部の大きさを保持固定することを特徴とする釣り針を備えたルアーの製造方法。
【発明の詳細な説明】
【技術分野】
【０００１】
本発明は、釣り針にライン（ハリス）又はルアー本体を取り付けるための連結具、ルアー本体にライン（リーダー）を取り付けるための連結具、釣り針にライン（ハリス）又はルアー本体を連結する方法、ルアー本体にライン（リーダー）を連結する方法、連結用輪状部を備えた釣り針の製造方法及び釣り針を備えたルアーの製造方法に関する。
【背景技術】
【０００２】
従来、釣り針にライン（ハリス）やルアー本体を取り付ける作業、あるいはルアー本体にライン（リーダー）を取り付ける作業は、通常釣り人が仕掛けを作る作業の一環として手作業で行なわれていたが、この手作業による取り付け作業は甚だ煩瑣で手間がかかるのが実状であった。
そこで、斯かる手間を解消すべく、ループ状に形成した紐を予め釣り針に取り付けた仕掛けが既に報告されている（例えば、特許文献１参照）。
【０００３】
しかしながら、この仕掛けは、ループ状に形成した紐を用いるものであったため、当該ループ自体の大きさは固定されている結果、目的とする種々の大きさの魚種に対応するためには、種々のサイズのループ状紐を用意しなければならない、と云う問題があった。
また、この仕掛けは、ループ状紐を釣り針の頭部に巻き付けて固定するものであったため、潮の流れや川の流れに対応した自然な“揺らぎ”が得られない結果、魚が警戒してしまい、釣果が上がらない、と云う問題もあった。
【特許文献１】特開２００１−１７８３３６号公報
【発明の開示】
【発明が解決しようとする課題】
【０００４】
本発明は、上記の如き従来の問題に鑑みてなされたもので、１本で目的とする魚種や釣り場の状況（潮流など）に応じた様々な大きさや種類の釣針やルアーに対応した所望サイズの連結用輪状部を容易かつ安定的に作成・保持するのに好適な連結具を提供することを課題としている。
【０００５】
また、本発明は、潮の流れや川の流れに対応した自然な“揺らぎ”が得られる連結方法、釣り針及びルアーを提供することを課題としている。
【課題を解決するための手段】
【０００６】
本発明者は、上記課題を解決すべく種々検討を重ねた結果、特定の形態を有する紐を用いて、特定の結び方をすれば、自然な“揺らぎ”が得られる連結用輪状部を簡便に形成し得ることを見い出し、本発明を完成した。
【０００７】
すなわち、請求項１に係る本発明は、紐の一端に、輪状部が形成されていることを特徴とする釣り針用又はルアー本体用連結具により上記課題を解決したものである。
【０００８】
また、請求項２に係る本発明は、前記紐の他端に、針状硬質部が形成されていることを特徴とする請求項１記載の釣り針用又はルアー本体用連結具により上記課題を解決したものである。
【０００９】
また、請求項３に係る本発明は、針状硬質部の基端部に、紐製輪状部が形成されていることを特徴とする釣り針用又はルアー本体用連結具により上記課題を解決したものである。
【００１０】
また、請求項４に係る本発明は、中空部を有するチューブ状紐の一端に、針状硬質部が形成されていることを特徴とする釣り針用又はルアー本体用連結具により上記課題を解決したものである。
【００１１】
また、請求項５に係る本発明は、前記針状硬質部が、先細り状とした紐部を合成樹脂で硬化せしめたものであることを特徴とする請求項２〜４の何れか１項記載の釣り針用又はルアー本体用連結具により上記課題を解決したものである。
【００１２】
また、請求項６に係る本発明は、請求項１記載の連結具の紐の端部輪状部に紐の他端を通して締め付け用輪状部を形成した後、紐の他端を釣り針の孔部に通すと共に、当該締め付け用輪状部にも通し、次いで紐の他端を引きつつ当該締め付け用輪状部にて締め付けることにより所望の大きさの連結用輪状部を形成し、次いで当該連結用輪状部以外の紐部で結び目を形成することにより当該連結用輪状部の大きさを保持固定した後、当該連結用輪状部にラインを結び付けることを特徴とする釣り針をラインに連結する方法により上記課題を解決したものである。
【００１３】
また、請求項７に係る本発明は、請求項１記載の連結具の紐の端部輪状部に紐の他端を通して締め付け用輪状部を形成した後、紐の他端を釣り針の孔部とルアー本体の釣り針連結用孔部に通すと共に、当該締め付け用輪状部にも通し、次いで紐の他端を引きつつ当該締め付け用輪状部にて締め付けることにより所望の大きさの連結用輪状部を形成し、次いで当該連結用輪状部以外の紐部で結び目を形成することにより当該連結用輪状部の大きさを保持固定することを特徴とする釣り針をルアー本体に連結する方法により上記課題を解決したものである。
【００１４】
また、請求項８に係る本発明は、請求項１記載の連結具の紐の端部輪状部に紐の他端を通して締め付け用輪状部を形成した後、紐の他端をルアー本体のライン連結用孔部に通すと共に、当該締め付け用輪状部にも通し、次いで紐の他端を引きつつ当該締め付け用輪状部にて締め付けることにより所望の大きさの連結用輪状部を形成し、次いで当該連結用輪状部以外の紐部で結び目を形成することにより当該連結用輪状部の大きさを保持固定した後、当該連結用輪状部にラインを結び付けることを特徴とするルアー本体をラインに連結する方法により上記課題を解決したものである。
【００１５】
また、請求項９に係る本発明は、請求項２記載の連結具の紐の端部輪状部に針状硬質部を通して締め付け用輪状部を形成した後、紐の針状硬質部を釣り針の孔部に通すと共に、当該締め付け用輪状部にも通し、次いで紐の針状硬質部を引きつつ当該締め付け用輪状部にて締め付けることにより所望の大きさの連結用輪状部を形成し、次いで当該連結用輪状部以外の紐部に針状硬質部を突刺貫通せしめた後、結び目を形成することにより当該連結用輪状部の大きさを保持固定し、次いで当該連結用輪状部にラインを結び付けることを特徴とする釣り針をラインに連結する方法により上記課題を解決したものである。
【００１６】
また、請求項１０に係る本発明は、請求項２記載の連結具の紐の端部輪状部に針状硬質部を通して締め付け用輪状部を形成した後、紐の針状硬質部を釣り針の孔部と、ルアー本体の釣り針連結用孔部に通すと共に、当該締め付け用輪状部にも通し、次いで紐の針状硬質部を引きつつ当該端部輪状部にて締め付けることにより所望の大きさの連結用輪状部を形成し、次いで当該連結用輪状部以外の紐部に針状硬質部を突刺貫通せしめた後、結び目を形成することにより当該連結用輪状部の大きさを保持固定し、次いで当該連結用輪状部にラインを結び付けることを特徴とする釣り針をルアー本体に連結する方法により上記課題を解決したものである。
【００１７】
また、請求項１１に係る本発明は、請求項２記載の連結具の紐の端部輪状部に針状硬質部を通して締め付け用輪状部を形成した後、紐の針状硬質部をルアー本体のライン連結用孔部に通すと共に、当該締め付け用輪状部にも通し、次いで紐の針状硬質部を引きつつ当該端部輪状部にて締め付けることにより所望の大きさの連結用輪状部を形成し、次いで当該連結用輪状部以外の紐部に針状硬質部を突刺貫通せしめた後、結び目を形成することにより当該連結用輪状部の大きさを保持固定し、次いで当該連結用輪状部にラインを結び付けることを特徴とするルアー本体をラインに連結する方法により上記課題を解決したものである。
【００１８】
また、請求項１２に係る本発明は、請求項２記載の連結具の紐を、釣り針の孔部に通した後、紐の端部輪状部に針状硬質部を通すと共に、紐の適宜部位に針状硬質部を突刺貫通せしめて締め付け用輪状部を形成し、次いで針状硬質部を外方に引きつつ当該締め付け用輪状部にて締め付けることにより所望の大きさの連結用輪状部を形成し、次いで針状硬質部を当該連結用輪状部に巻き通して結び目を形成することにより当該連結用輪状部の大きさを保持固定した後、当該連結用輪状部にラインを結び付けることを特徴とする釣り針をラインに連結する方法により上記課題を解決したものである。
【００１９】
また、請求項１３に係る本発明は、請求項２記載の連結具の紐を、釣り針の孔部とルアー本体の釣り針連結用孔部に通した後、紐の端部輪状部に針状硬質部を通すと共に、紐の適宜部位に針状硬質部を突刺貫通せしめて締め付け用輪状部を形成し、次いで針状硬質部を外方に引きつつ当該締め付け用輪状部にて締め付けることにより所望の大きさの連結用輪状部を形成し、次いで針状硬質部を当該連結用輪状部に巻き通して結び目を形成することにより当該連結用輪状部の大きさを保持固定することを特徴とする釣り針をルアー本体に連結する方法により上記課題を解決したものである。
【００２０】
また、請求項１４に係る本発明は、請求項２記載の連結具の紐を、ルアー本体のライン連結用孔部に通した後、紐の端部輪状部に針状硬質部を通すと共に、紐の適宜部位に針状硬質部を突刺貫通せしめて締め付け用輪状部を形成し、次いで針状硬質部を外方に引きつつ当該締め付け用輪状部にて締め付けることにより所望の大きさの連結用輪状部を形成し、次いで針状硬質部を当該連結用輪状部に巻き通して結び目を形成することにより当該連結用輪状部の大きさを保持固定した後、当該連結用輪状部にラインを結び付けることを特徴とするルアー本体をラインに連結する方法により上記課題を解決したものである。
【００２１】
また、請求項１５に係る本発明は、請求項３記載の連結具の針状硬質部を、紐の端部に形成されている半輪状部に通して締め付け用輪状部を形成した後、針状硬質部を釣り針の孔部に通すと共に、当該締め付け用輪状部にも通し、次いで当該針状硬質部を引きつつ締め付け用輪状部にて締め付けることにより所望の大きさの連結用輪状部を形成し、次いで当該連結用輪状部以外の紐部に針状硬質部を突刺貫通せしめた後、結び目を形成することにより当該連結用輪状部の大きさを保持固定し、次いで当該連結用輪状部にラインを結び付けることを特徴とする釣り針をラインに連結する方法により上記課題を解決したものである。
【００２２】
また、請求項１６に係る本発明は、請求項３記載の連結具の針状硬質部を、紐の端部に形成されている半輪状部に通して締め付け用輪状部を形成した後、針状硬質部を釣り針の孔部とルアー本体の釣り針連結用孔部に通すと共に、当該締め付け用輪状部にも通し、次いで当該針状硬質部を引きつつ締め付け用輪状部にて締め付けることにより所望の大きさの連結用輪状部を形成し、次いで当該連結用輪状部以外の紐部に針状硬質部を突刺貫通せしめた後、結び目を形成することにより当該連結用輪状部の大きさを保持固定し、次いで当該連結用輪状部にラインを結び付けることを特徴とする釣り針をルアー本体に連結する方法により上記課題を解決したものである。
【００２３】
また、請求項１７に係る本発明は、請求項３記載の連結具の針状硬質部を、紐の端部に形成されている半輪状部に通して締め付け用輪状部を形成した後、針状硬質部をルアー本体のライン連結用孔部に通すと共に、当該締め付け用輪状部にも通し、次いで当該針状硬質部を引きつつ締め付け用輪状部にて締め付けることにより所望の大きさの連結用輪状部を形成し、次いで当該連結用輪状部以外の紐部に針状硬質部を突刺貫通せしめた後、結び目を形成することにより当該連結用輪状部の大きさを保持固定し、次いで当該連結用輪状部にラインを結び付けることを特徴とするルアー本体をラインに連結する方法により上記課題を解決したものである。
【００２４】
また、請求項１８に係る本発明は、請求項３記載の連結具の針状硬質部を、釣り針の孔部に通した後、紐の端部に形成されている半輪状部に針状硬質部を通すと共に、紐の適宜部位に針状硬質部を突刺貫通せしめて締め付け用輪状部を形成し、次いで針状硬質部を外方に引きつつ当該締め付け用輪状部にて締め付けることにより所望の大きさの連結用輪状部を形成し、次いで針状硬質部を当該連結用輪状部に巻き通して結び目を形成することにより当該連結用輪状部の大きさを保持固定した後、当該連結用輪状部にラインを結び付けることを特徴とする釣り針をラインに連結する方法により上記課題を解決したものである。
【００２５】
また、請求項１９に係る本発明は、請求項３記載の連結具の針状硬質部を、釣り針の孔部とルアー本体の釣り針連結用孔部に通した後、紐の端部に形成されている半輪状部に針状硬質部を通すと共に、紐の適宜部位に針状硬質部を突刺貫通せしめて締め付け用輪状部を形成し、次いで針状硬質部を外方に引きつつ当該締め付け用輪状部にて締め付けることにより所望の大きさの連結用輪状部を形成し、次いで針状硬質部を当該連結用輪状部に巻き通して結び目を形成することにより当該連結用輪状部の大きさを保持固定することを特徴とする釣り針をルアー本体に連結する方法により上記課題を解決したものである。
【００２６】
また、請求項２０に係る本発明は、請求項３記載の連結具の針状硬質部を、ルアー本体のライン連結用孔部に通した後、紐の端部に形成されている半輪状部に針状硬質部を通すと共に、紐の適宜部位に針状硬質部を突刺貫通せしめて締め付け用輪状部を形成し、次いで針状硬質部を外方に引きつつ当該締め付け用輪状部にて締め付けることにより所望の大きさの連結用輪状部を形成し、次いで針状硬質部を当該連結用輪状部に巻き通して結び目を形成することにより当該連結用輪状部の大きさを保持固定した後、当該連結用輪状部にラインを結び付けることを特徴とするルアー本体をラインに連結する方法により上記課題を解決したものである。
【００２７】
また、請求項２１に係る本発明は、請求項４記載の連結具の針状硬質部を、釣り針の孔部に通した後、当該針状硬質部をチューブ状紐の他端中空開口部から挿入すると共に、適宜部位にて外部に突き抜けさせることにより所望の大きさの連結用輪状部を形成した後、当該連結用輪状部にラインを結び付けることを特徴とする釣り針をラインに連結する方法により上記課題を解決したものである。
【００２８】
また、請求項２２に係る本発明は、請求項４記載の連結具の針状硬質部を、釣り針の孔部とルアー本体の釣り針連結用孔部に通した後、当該針状硬質部をチューブ状紐の他端中空開口部から挿入すると共に、適宜部位にて外部に突き抜けさせることにより所望の大きさの連結用輪状部を形成することを特徴とする釣り針をルアー本体に連結する方法により上記課題を解決したものである。
【００２９】
また、請求項２３に係る本発明は、請求項４記載の連結具の針状硬質部を、ルアー本体のライン連結用孔部に通した後、当該針状硬質部をチューブ状紐の他端中空開口部から挿入すると共に、適宜部位にて外部に突き抜けさせることにより所望の大きさの連結用輪状部を形成した後、当該連結用輪状部にラインを結び付けることを特徴とするルアー本体をラインに連結する方法により上記課題を解決したものである。
【００３０】
また、請求項２４に係る本発明は、１本の紐を二ツ折して半輪状部を形成し、次いで紐の端部を当該半輪状部に通して締め付け用輪状部を形成した後、紐の端部を釣り針の孔部に通すと共に、当該締め付け用輪状部にも通し、次いで当該紐の端部を引きつつ締め付け用輪状部にて締め付けることにより所望の大きさの連結用輪状部を形成し、次いで当該連結用輪状部以外の紐部で結び目を形成することにより当該連結用輪状部の大きさを保持固定し、次いで当該連結用輪状部にラインを結び付けることを特徴とする釣り針をラインに連結する方法により上記課題を解決したものである。
【００３１】
また、請求項２５に係る本発明は、１本の紐を二ツ折して半輪状部を形成し、次いで紐の端部を当該半輪状部に通して締め付け用輪状部を形成した後、紐の端部を釣り針の孔部とルアー本体の釣り針連結用孔部に通すと共に、当該締め付け用輪状部にも通し、次いで当該紐の端部を引きつつ締め付け用輪状部にて締め付けることにより所望の大きさの連結用輪状部を形成し、次いで当該連結用輪状部以外の紐部で結び目を形成することにより当該連結用輪状部の大きさを保持固定し、次いで当該連結用輪状部にラインを結び付けることを特徴とする釣り針をルアー本体に連結する方法により上記課題を解決したものである。
【００３２】
また、請求項２６に係る本発明は、１本の紐を二ツ折して半輪状部を形成し、次いで紐の端部を当該半輪状部に通して締め付け用輪状部を形成した後、紐の端部をルアー本体のライン連結用の孔部に通すと共に、当該締め付け用輪状部にも通し、次いで当該紐の端部を引きつつ締め付け用輪状部にて締め付けることにより所望の大きさの連結用輪状部を形成し、次いで当該連結用輪状部以外の紐部で結び目を形成することにより当該連結用輪状部の大きさを保持固定し、次いで当該連結用輪状部にラインを結び付けることを特徴とするルアー本体をラインに連結する方法により上記課題を解決したものである。
【００３３】
また、請求項２７に係る本発明は、請求項１記載の連結具の紐の端部輪状部に紐の他端を通して締め付け用輪状部を形成した後、紐の他端を釣り針の孔部に通すと共に、当該締め付け用輪状部にも通し、次いで紐の他端を引きつつ当該締め付け用輪状部にて締め付けることにより所望の大きさの連結用輪状部を形成し、次いで当該連結用輪状部以外の紐部で結び目を形成することにより当該連結用輪状部の大きさを保持固定することを特徴とする連結用輪状部を備えた釣り針の製造方法により上記課題を解決したものである。
【００３４】
また、請求項２８に係る本発明は、請求項２記載の連結具の紐の端部輪状部に針状硬質部を通して締め付け用輪状部を形成した後、紐の針状硬質部を釣り針の孔部に通すと共に、当該締め付け用輪状部にも通し、次いで紐の針状硬質部を引きつつ当該締め付け用輪状部にて締め付けることにより所望の大きさの連結用輪状部を形成し、次いで当該連結用輪状部以外の紐部に針状硬質部を突刺貫通せしめた後、結び目を形成することにより当該連結用輪状部の大きさを保持固定することを特徴とする連結用輪状部を備えた釣り針の製造方法により上記課題を解決したものである。
【００３５】
また、請求項２９に係る本発明は、請求項２記載の連結具の針状硬質部を、釣り針の孔部に通した後、紐の端部輪状部に通すと共に、紐の適宜部位に突刺貫通せしめて釣り針が存在しない側に締め付け用輪状部を形成し、次いで針状硬質部を外方に引きつつ当該締め付け用輪状部にて締め付けることにより所望の大きさの連結用輪状部を形成し、次いで針状硬質部を当該連結用輪状部に巻き通して結び目を形成することにより当該連結用輪状部の大きさを保持固定することを特徴とする連結用輪状部を備えた釣り針の製造方法により上記課題を解決したものである。
【００３６】
また、請求項３０に係る本発明は、請求項３記載の連結具の針状硬質部を、紐の端部に形成されている半輪状部に通して締め付け用輪状部を形成した後、針状硬質部を釣り針の孔部に通すと共に、当該締め付け用輪状部にも通し、次いで当該針状硬質部を引きつつ締め付け用輪状部にて締め付けることにより所望の大きさの連結用輪状部を形成し、次いで当該連結用輪状部以外の紐部に針状硬質部を突刺貫通せしめた後、結び目を形成することにより当該連結用輪状部の大きさを保持固定することを特徴とする連結用輪状部を備えた釣り針の製造方法により上記課題を解決したものである。
【００３７】
また、請求項３１に係る本発明は、請求項３記載の連結具の針状硬質部を、釣り針の孔部に通した後、紐の端部に形成されている半輪状部に針状硬質部を通すと共に、紐の適宜部位に針状硬質部を突刺貫通せしめて釣り針が存在しない側に締め付け用輪状部を形成し、次いで針状硬質部を外方に引きつつ当該締め付け用輪状部にて締め付けることにより所望の大きさの連結用輪状部を形成し、次いで針状硬質部を当該連結用輪状部に巻き通して結び目を形成することにより当該連結用輪状部の大きさを保持固定することを特徴とする連結用輪状部を備えた釣り針の製造方法により上記課題を解決したものである。
【００３８】
また、請求項３２に係る本発明は、請求項４記載の連結具の針状硬質部を、釣り針の孔部に通した後、当該針状硬質部をチューブ状紐の他端中空開口部から挿入すると共に、適宜部位にて外部に突き抜けさせることにより所望の大きさの連結用輪状部を形成することを特徴とする連結用輪状部を備えた釣り針の製造方法により上記課題を解決したものである。
【００３９】
また、請求項３３に係る本発明は、１本の紐を二ツ折して半輪状部を形成し、次いで紐の端部を当該半輪状部に通して締め付け用輪状部を形成した後、紐の端部を釣り針の孔部に通すと共に、当該締め付け用輪状部にも通し、次いで当該紐の端部を引きつつ締め付け用輪状部にて締め付けることにより所望の大きさの連結用輪状部を形成し、次いで当該連結用輪状部以外の紐部で結び目を形成することにより当該連結用輪状部の大きさを保持固定することを特徴とする連結用輪状部を備えた釣り針の製造方法により上記課題を解決したものである。
【００４０】
また、請求項３４に係る本発明は、請求項１記載の連結具の紐の端部輪状部に紐の他端を通して締め付け用輪状部を形成した後、紐の端部を釣り針の孔部とルアー本体の釣り針連結用孔部に通すと共に、当該締め付け用輪状部にも通し、次いで紐の他端を引きつつ当該締め付け用輪状部にて締め付けることにより所望の大きさの連結用輪状部を形成し、次いで当該連結用輪状部以外の紐部で結び目を形成することにより当該連結用輪状部の大きさを保持固定することを特徴とする釣り針を備えたルアーの製造方法により上記課題を解決したものである。
【００４１】
また、請求項３５に係る本発明は、請求項２記載の連結具の紐の端部輪状部に針状硬質部を通して締め付け用輪状部を形成した後、紐の針状硬質部を釣り針の孔部と、ルアー本体の釣り針連結用孔部に通すと共に、当該締め付け用輪状部にも通し、次いで紐の針状硬質部を引きつつ当該端部輪状部にて締め付けることにより所望の大きさの連結用輪状部を形成し、次いで当該連結用輪状部以外の紐部に針状硬質部を突刺貫通せしめた後、結び目を形成することにより当該連結用輪状部の大きさを保持固定することを特徴とする釣り針を備えたルアーの製造方法により上記課題を解決したものである。
【００４２】
また、請求項３６に係る本発明は、請求項２記載の連結具の針状硬質部を、釣り針の孔部とルアー本体の釣り針連結用孔部に通した後、紐の端部輪状部に針状硬質部を通すと共に、紐の適宜部位に針状硬質部を突刺貫通せしめて釣り針とルアー本体が存在しない側に締め付け用輪状部を形成し、次いで針状硬質部を外方に引きつつ当該締め付け用輪状部にて締め付けることにより所望の大きさの連結用輪状部を形成し、次いで針状硬質部を当該連結用輪状部に巻き通して結び目を形成することにより当該連結用輪状部の大きさを保持固定することを特徴とする釣り針を備えたルアーの製造方法により上記課題を解決したものである。
【００４３】
また、請求項３７に係る本発明は、請求項３記載の連結具の針状硬質部を、紐の端部に形成されている半輪状部に通して締め付け用輪状部を形成した後、針状硬質部を釣り針の孔部とルアー本体の釣り針連結用孔部に通すと共に、当該締め付け用輪状部にも通し、次いで当該針状硬質部を引きつつ締め付け用輪状部にて締め付けることにより所望の大きさの連結用輪状部を形成し、次いで当該連結用輪状部以外の紐部に針状硬質部を突刺貫通せしめた後、結び目を形成することにより当該連結用輪状部の大きさを保持固定することを特徴とする釣り針を備えたルアーの製造方法により上記課題を解決したものである。
【００４４】
また、請求項３８に係る本発明は、請求項３記載の連結具の針状硬質部を、釣り針の孔部とルアー本体の釣り針連結用孔部に通した後、紐の端部に形成されている半輪状部に針状硬質部を通すと共に、紐の適宜部位に針状硬質部を突刺貫通せしめて釣り針とルアー本体が存在しない側に締め付け用輪状部を形成し、次いで針状硬質部を外方に引きつつ当該締め付け用輪状部にて締め付けることにより所望の大きさの連結用輪状部を形成し、次いで針状硬質部を当該連結用輪状部に巻き通して結び目を形成することにより当該連結用輪状部の大きさを保持固定することを特徴とする釣り針を備えたルアーの製造方法により上記課題を解決したものである。
【００４５】
また、請求項３９に係る本発明は、請求項４記載の連結具の針状硬質部を、釣り針の孔部とルアー本体の釣り針連結用孔部に通した後、当該針状硬質部をチューブ状紐の他端中空開口部から挿入すると共に、適宜部位にて外部に突き抜けさせて所望の大きさの連結用輪状部を形成することにより釣り針をルアー本体に連結することを特徴とする釣り針を備えたルアーの製造方法により上記課題を解決したものである。
【００４６】
また、請求項４０に係る本発明は、１本の紐を二ツ折して半輪状部を形成し、次いで紐の端部を当該半輪状部に通して締め付け用輪状部を形成した後、紐の端部を釣り針の孔部とルアー本体の釣り針連結用孔部に通すと共に、当該締め付け用輪状部にも通し、次いで当該紐の端部を引きつつ当該締め付け用輪状部にて締め付けることにより所望の大きさの連結用輪状部を形成し、次いで当該連結用輪状部以外の紐部で結び目を形成して当該連結用輪状部の大きさを保持固定することを特徴とする釣り針を備えたルアーの製造方法により上記課題を解決したものである。
【発明の効果】
【００４７】
本発明の連結具を用いれば、１本で目的とする魚種に応じた所望サイズの連結用輪状部を容易かつ安定的に作成・保持することができる。
また、本発明の連結方法や、本発明の製造方法によって得られた釣り針あるいはルアーを用いれば、潮の流れや川の流れに対応した自然な“揺らぎ”が得られるので、魚は警戒することなく食い気が誘われる結果、釣果が頗る向上する。
【発明を実施するための最良の形態】
【００４８】
以下本発明の実施の形態を図面と共に説明する。
【００４９】
［第１の連結具］
図１は、本発明連結具の第１の実施の形態を示すもので、連結具１０は、紐１１の一端に適宜大きさの端部輪状部１２が一体に形成されて構成されている。この紐１１及び端部輪状部１２の材質は特に限定されないが、合成樹脂製繊維を複数本用いて製紐されたものが強度に優れ、例えば釣り具業界においてＰＥラインと称されている紐が好適に使用される。
【００５０】
［第１の連結方法］
次に、図１に示す連結具１０を用いて釣り針をラインに連結する方法を、結び方を示す図２と共に説明する。
【００５１】
まず、図２（１）に示すように、連結具１０の紐１１の他端１１ａを端部輪状部１２に通して締め付け用輪状部１３を形成する。次いで、紐１１の他端１１ａを釣り針（図示省略）の孔部に通すと共に、当該締め付け用輪状部１３にも通す。次いで、当該端部輪状部１２を押さえつつ紐１１の他端１１ａを引いて、当該締め付け用輪状部１３を狭小化しながら端部輪状部１２と共に締め付けることにより、図２（２）に示す如き所望の大きさの連結用輪状部１４を形成する。次いで、図２（２）に示すように、当該連結用輪状部１４以外の紐部で結び目１５を形成する。尚、当該結び目１５の形成法は、連結用輪状部１４の大きさを保持固定し得るものであれば、図２（２）に示す形成法に限定されず、例えば図３（１）、（２）に示すように、複数回巻き通す結び目形成法であってもよい。
【００５２】
次いで、図２（３）に示すように、当該結び目１５で連結用輪状部１４の大きさを保持固定した後、余分な紐部分を切断除去して、図４に示されるような連結用輪状部１４を備えた釣り針Ｐを得る。
【００５３】
次いで、当該連結用輪状部１４にライン（ハリス）を取り付ければ、図４に示すように、釣り針Ｐが連結用輪状部１４を介してライン（ハリス）Ｒに連結される。
【００５４】
この連結方法によれば、一旦連結した後においても、端部輪状部１２を押さえつつ結び目１５を外方に引くことにより、連結用輪状部１４のリング径を適宜狭小化することができるので、当該連結用輪状部１４のサイズを目的に応じて微調整して“揺らぎ”の度合を制御することができる。
【００５５】
例えば、図５（１）に示すように、連結用輪状部１４のリング径を比較的大きくして揺動自在とすれば、潮の流れや川の流れが弱い場合でも自然な“揺らぎ”が得られ易く、他方図５（２）に示すように、結び目１５を端部輪状部１２から引き上げて連結用輪状部１４を適宜狭小化乃至締め付けて揺動を抑制すれば、潮の流れや川の流れが強い場合でも適度な“揺らぎ”を得ることができる。
【００５６】
［第２の連結方法］
次に、図１に示す連結具１０を用いて釣り針をルアー本体に連結する方法を、結び方を示す図２と共に説明する。
【００５７】
まず、図２（１）に示すように、連結具１０の紐１１の他端１１ａを端部輪状部１２に通して締め付け用輪状部１３を形成する。次いで、紐１１の他端１１ａを釣り針（図示省略）の孔部とルアー本体（図示省略）の釣り針連結用孔部に通すと共に、当該締め付け用輪状部１３にも通す。次いで、当該端部輪状部１２を押さえつつ紐１１の他端１１ａを引いて、当該締め付け用輪状部１３を狭小化しながら端部輪状部１２と共に締め付けることにより、図２（２）に示す如き所望の大きさの連結用輪状部１４を形成する。次いで、図２（２）に示すように、当該連結用輪状部１４以外の紐部で結び目１５を形成する。尚、当該結び目１５の形成法は、連結用輪状部１４の大きさを保持固定し得るものであれば、図２（２）に示す形成法に限定されず、例えば図３（１）、（２）に示すように、複数回巻き通す結び目形成法であってもよい。
【００５８】
次いで、図２（３）に示すように、当該結び目１５で連結用輪状部１４の大きさを保持固定した後、余分な紐部分を切断除去すれば、図６に示すように、釣り針Ｐが連結用輪状部１４を介してルアー本体Ｑに連結されたルアーが得られる。
【００５９】
尚、この連結方法によっても、第１の連結方法と同様にして連結用輪状部１４のリング径を適宜調整することができる。
【００６０】
［第３の連結方法］
次に、図１に示す連結具１０を用いてルアー本体をラインに連結する方法を、結び方を示す図２と共に説明する。
【００６１】
まず、図２（１）に示すように、連結具１０の紐１１の他端１１ａを端部輪状部１２に通して締め付け用輪状部１３を形成する。次いで、紐１１の他端１１ａをルアー本体（図示省略）のライン連結用孔部に通すと共に、当該締め付け用輪状部１３にも通す。次いで、当該端部輪状部１２を押さえつつ紐１１の他端１１ａを引いて、当該締め付け用輪状部１３を狭小化しながら端部輪状部１２と共に締め付けることにより、図２（２）に示す如き所望の大きさの連結用輪状部１４を形成する。次いで、図２（２）に示すように、当該連結用輪状部１４以外の紐部で結び目１５を形成する。尚、当該結び目１５の形成法は、連結用輪状部１４の大きさを保持固定し得るものであれば、図２（２）に示す形成法に限定されず、例えば図３（１）、（２）に示すように、複数回巻き通す結び目形成法であってもよい。
【００６２】
次いで、図２（３）に示すように、当該結び目１５で連結用輪状部１４の大きさを保持固定した後、余分な紐部分を切断除去する。次いで、当該連結用輪状部１４にライン（リーダー）を取り付ければ、図６に示すように、ルアー本体Ｑが連結用輪状部１４を介してライン（リーダー）Ｒに連結される。
【００６３】
［第２の連結具］
図７は、本発明連結具の第２の実施の形態を示すもので、連結具２０は、紐１１の一端に端部輪状部１２が一体に形成されていると共に、その他端に針状硬質部２１が形成されている以外は図１に示す第１の連結具１０と同様に構成されている。尚、当該針状硬質部２１の材質や形成法はその如何を問わないが、紐１１の他端を先細り状とした状態で合成樹脂により硬化処理したものが簡便である。
【００６４】
［第４の連結方法］
次に、図７に示す連結具２０を用いて釣り針をラインに連結する方法を、結び方を示す図８と共に説明する。
【００６５】
まず、図８（１）に示すように、連結具２０の紐１１の針状硬質部２１を端部輪状部１２に通して締め付け用輪状部１３を形成する。次いで、紐１１の針状硬質部２１を釣り針（図示省略）の孔部に通すと共に、当該締め付け用輪状部１３にも通す。次いで、当該端部輪状部１２を押さえつつ紐１１の針状硬質部２１を引いて、当該締め付け用輪状部１３を狭小化しながら端部輪状部１２と共に締め付けることにより、図８（２）に示す如き所望の大きさの連結用輪状部１４を形成する。次いで、図８（２）に示すように、当該連結用輪状部１４以外の紐部に針状硬質部２１を突刺貫通せしめた後、当該連結用輪状部１４以外の紐部で結び目１５を形成する。尚、当該結び目１５の形成法は、連結用輪状部１４の大きさを保持固定し得るものであれば、図８（３）に示す形成法に限定されず、例えば図９（１）、（２）に示すように、複数回巻き通す結び目形成法であってもよい。
【００６６】
次いで、図８（４）に示すように、当該結び目１５で連結用輪状部１４の大きさを保持固定した後、余分な紐部分を切断し、針状硬質部２１と共に除去して、図４に示されるような連結用輪状部１４を備えた釣り針Ｐを得る。
【００６７】
次いで、当該連結用輪状部１４にライン（ハリス）を取り付ければ、図４に示すように、釣り針Ｐが連結用輪状部１４を介してライン（ハリス）Ｒに連結される。
【００６８】
この方法によれば、結び目１５が、紐中に紐が貫通した状態で形成されるので、より強固に連結用輪状部１４の大きさを保持固定することができると共に、第１の連結方法と同様にして連結用輪状部１４のリング径を適宜調整することができる。
【００６９】
［第５の連結方法］
次に、図７に示す連結具２０を用いて釣り針をルアー本体に連結する方法を、結び方を示す図８と共に説明する。
【００７０】
まず、図８（１）に示すように、連結具２０の紐１１の針状硬質部２１を端部輪状部１２に通して締め付け用輪状部１３を形成する。次いで、紐１１の針状硬質部２１を釣り針（図示省略）の孔部とルアー本体（図示省略）の釣り針連結用孔部に通すと共に、当該締め付け用輪状部１３にも通す。次いで、当該端部輪状部１２を押さえつつ紐１１の針状硬質部２１を引いて、当該締め付け用輪状部１３を狭小化しながら端部輪状部１２と共に締め付けることにより、図８（２）に示す如き所望の大きさの連結用輪状部１４を形成する。次いで、図８（２）に示すように、当該連結用輪状部１４以外の紐部に針状硬質部２１を突刺貫通せしめた後、当該連結用輪状部１４以外の紐部で結び目１５を形成する。尚、当該結び目１５の形成法は、連結用輪状部１４の大きさを保持固定し得るものであれば、図８（３）に示す形成法に限定されず、例えば図９（１）、（２）に示すように、複数回巻き通す結び目形成法であってもよい。
【００７１】
次いで、図８（４）に示すように、当該結び目１５で連結用輪状部１４の大きさを保持固定した後、余分な紐部分を切断し、針状硬質部２１と共に除去すれば、図６に示すように、釣り針Ｐが連結用輪状部１４を介してルアー本体Ｑに連結されたルアーが得られる。
【００７２】
この連結方法によっても、第４の連結方法と同様に結び目１５が、紐中に紐が貫通した状態で形成されるので、より強固に連結用輪状部１４の大きさを保持固定することができると共に、第１の連結方法と同様にして連結用輪状部１４のリング径を適宜調整することができる。
【００７３】
［第６の連結方法］
次に、図７に示す連結具２０を用いてルアー本体をラインに連結する方法を、結び方を示す図８と共に説明する。
【００７４】
まず、図８（１）に示すように、連結具２０の紐１１の針状硬質部２１を端部輪状部１２に通して締め付け用輪状部１３を形成する。次いで、紐１１の針状硬質部２１をルアー本体の（図示省略）の釣り針連結用孔部に通すと共に、当該締め付け用輪状部１３にも通す。次いで、当該端部輪状部１２を押さえつつ紐１１の針状硬質部２１を引いて、当該締め付け用輪状部１３を狭小化しながら端部輪状部１２と共に締め付けることにより、図８（２）に示す如き所望の大きさの連結用輪状部１４を形成する。次いで、図８（２）に示すように、当該連結用輪状部１４以外の紐部に針状硬質部２１を突刺貫通せしめた後、当該連結用輪状部１４以外の紐部で結び目１５を形成する。尚、当該結び目１５の形成法は、連結用輪状部１４の大きさを保持固定し得るものであれば、図８（３）に示す形成法に限定されず、例えば図９（１）、（２）に示すように、複数回巻き通す結び目形成法であってもよい。
【００７５】
次いで、図８（４）に示すように、当該結び目１５で連結用輪状部１４の大きさを保持固定した後、余分な紐部分を切断し、針状硬質部２１と共に除去する。次いで、当該連結用輪状部１４にライン（リーダー）を取り付ければ、図６に示すように、ルアー本体Ｑが連結用輪状部１４を介してライン（リーダー）Ｒに連結される。
【００７６】
この連結方法によっても、第４の連結方法と同様に結び目１５が、紐中に紐が貫通した状態で形成されるので、より強固に連結用輪状部１４の大きさを保持固定することができる。
【００７７】
［第７の連結方法］
次に、図７に示す連結具２０を用いて釣り針をラインに連結する他の方法を、結び方を示す図１０と共に説明する。
【００７８】
まず、図１０（１）に示すように、連結具２０の紐１１の針状硬質部２１を釣り針（図示省略）の孔部に通した後、紐１１の端部輪状部１２に針状硬質部２１を通す。次いで、図１０（２）に示すように、紐１１の適宜部位に針状硬質部２１を突刺貫通せしめて釣り針が存在しない側に締め付け用輪状部１３を形成する。次いで、当該端部輪状部１２を押さえつつ針状硬質部２１を外方に引いて、当該締め付け用輪状部１３を狭小化しながら端部輪状部１２と共に締め付けることにより、図１０（３）に示す如き所望の大きさの連結用輪状部１４を形成する。次いで、図１０（３）に示すように、当該針状硬質部２１を当該連結用輪状部１４に巻き通して結び目１５を形成する。尚、当該結び目１５の形成法は、連結用輪状部１４の大きさを保持固定し得るものであれば、図１０（３）に示す形成法に限定されず、例えば図１１（１）、（２）、（３）に示すように、複数回巻き通したり、反対方向から巻き通す結び目形成であってもよい。
【００７９】
次いで、図１０（４）に示すように、当該結び目１５で連結用輪状部１４の大きさを保持固定した後、余分な紐部分を切断し、針状硬質部２１と共に除去して、図４に示されるような連結用輪状部１４を備えた釣り針Ｐを得る。
【００８０】
次いで、当該連結用輪状部１４にライン（ハリス）を取り付ければ、図４に示すように、釣り針Ｐが連結用輪状部１４を介してライン（ハリス）Ｒに連結される。
【００８１】
この連結方法によっても、第４の連結方法と同様に結び目１５が、紐中に紐が貫通した状態で形成されるので、より強固に連結用輪状部１４の大きさを保持固定することができる。
【００８２】
［第８の連結方法］
次に、図７に示す連結具２０を用いて釣り針をルアー本体に連結する他の方法を、結び方を示す図１０と共に説明する。
【００８３】
まず、図１０（１）に示すように、連結具２０の紐１１の針状硬質部２１を釣り針（図示省略）の孔部とルアー本体（図示省略）の釣り針連結用孔部に通した後、紐１１の端部輪状部１２に針状硬質部２１を通す。次いで、図１０（２）に示すように、紐１１の適宜部位に針状硬質部２１を突刺貫通せしめて釣り針とルアー本体が存在しない側に締め付け用輪状部１３を形成する。次いで、当該端部輪状部１２を押さえつつ針状硬質部２１を外方に引いて、当該締め付け用輪状部１３を狭小化しながら端部輪状部１２と共に締め付けることにより、図１０（３）に示す如き所望の大きさの連結用輪状部１４を形成する。次いで、図１０（３）に示すように、当該針状硬質部２１を当該連結用輪状部１４に巻き通して結び目１５を形成する。尚、当該結び目１５の形成法は、連結用輪状部１４の大きさを保持固定し得るものであれば、図１０（３）に示す形成法に限定されず、例えば図１１（１）、（２）、（３）に示すように、複数回巻き通したり、反対方向から巻き通す結び目形成であってもよい。
【００８４】
次いで、図１０（４）に示すように、当該結び目１５で連結用輪状部１４の大きさを保持固定した後、余分な紐部分を切断し、針状硬質部２１と共に除去すれば、図６に示すように、釣り針Ｐが連結用輪状部１４を介してルアー本体Ｑに連結されたルアーが得られる。
【００８５】
この連結方法によっても、第４の連結方法と同様に結び目１５が、紐中に紐が貫通した状態で形成されるので、より強固に連結用輪状部１４の大きさを保持固定することができる。
【００８６】
［第９の連結方法］
次に、図７に示す連結具２０を用いてルアー本体をラインに連結する他の方法を、結び方を示す図１０と共に説明する。
【００８７】
まず、図１０（１）に示すように、連結具２０の紐１１の針状硬質部２１をルアー本体（図示省略）のライン連結用孔部に通した後、紐１１の端部輪状部１２に針状硬質部２１を通す。次いで、図１０（２）に示すように、紐１１の適宜部位に針状硬質部２１を突刺貫通せしめてルアー本体が存在しない側に締め付け用輪状部１３を形成する。次いで、当該端部輪状部１２を押さえつつ針状硬質部２１を外方に引いて、当該締め付け用輪状部１３を狭小化しながら端部輪状部１２と共に締め付けることにより、図１０（３）に示す如き所望の大きさの連結用輪状部１４を形成する。次いで、図１０（３）に示すように、当該針状硬質部２１を当該連結用輪状部１４に巻き通して結び目１５を形成する。尚、当該結び目１５の形成法は、連結用輪状部１４の大きさを保持固定し得るものであれば、図１０（３）に示す形成法に限定されず、例えば図１１（１）、（２）、（３）に示すように、複数回巻き通したり、反対方向から巻き通す結び目形成であってもよい。
【００８８】
次いで、図１０（４）に示すように、当該結び目１５で連結用輪状部１４の大きさを保持固定した後、余分な紐部分を切断し、針状硬質部２１と共に除去する。次いで、当該連結用輪状部１４にライン（リーダー）を取り付ければ、図６に示すように、ルアー本体Ｑが連結用輪状部１４を介してライン（リーダー）Ｒに連結される。
【００８９】
この連結方法によっても、第４の連結方法と同様に結び目１５が、紐中に紐が貫通した状態で形成されるので、より強固に連結用輪状部１４の大きさを保持固定することができる。
【００９０】
［第３の連結具］
図１２は、本発明連結具の第３の実施の形態を示すもので、連結具３０は、針状硬質部３１の基端部３１ａに、紐製輪状部３２が形成されて構成されている。
針状硬質部３１への紐製輪状部３２の形成法は特に限定されず、例えば図１２に示す如く、孔部のある針状硬質部３１を用い、当該孔部に１本の紐を通した後、接着剤等の適宜手段により紐製輪状部３２を形成する方法や、図１３に示す如く、孔部のない針状硬質部３１の基端部に、１本の紐を二ツ折りした状態で接着剤等の適宜手段により紐製輪状部３２を固着形成する方法が挙げられる。
尚、当該紐製輪状部３２における紐の材質は特に限定されず、例えば第１の連結具１０と同様なものが用いられると共に、当該針状硬質部３１の材質や形成法も特に限定されず、例えば第２の連結具２０と同様に、先細り状とした紐を合成樹脂により硬化処理したものが簡便である。
【００９１】
［第１０の連結方法］
次に、図１２に示す連結具３０を用いて釣り針をラインに連結する方法を、結び方を示す図１４と共に説明する。
【００９２】
まず、図１４（１）に示すように、連結具３０の針状硬質部３１を紐の端部に形成されている半輪状部３２ａに通して締め付け用輪状部１３を形成する。次いで、針状硬質部３１を釣り針（図示省略）の孔部に通すと共に、当該締め付け用輪状部１３にも通す。次いで、当該半輪状部３２ａを押さえつつ針状硬質部３１を引いて当該締め付け用輪状部１３を狭小化しながら半輪状部３２ａと共に締め付けることにより、図１４（２）に示す如き所望の大きさの連結用輪状部１４を形成する。次いで、図１４（２）に示すように、当該連結用輪状部１４以外の紐部に針状硬質部３１を突刺貫通せしめた後、当該連結用輪状部１４以外の紐部で結び目１５を形成する。尚、当該結び目１５の形成法は、連結用輪状部１４の大きさを保持固定し得るものであれば、図１４（２）に示す形成法に限定されず、例えば図１５（１）、（２）に示すように、複数回巻き通す結び目形成法であってもよい。
【００９３】
次いで、図１４（３）に示すように、当該結び目１５で連結用輪状部１４の大きさを保持固定した後、余分な紐部分を切断し、針状硬質部３１と共に除去して、図４に示されるような連結用輪状部１４を備えた釣り針Ｐを得る。
【００９４】
次いで、当該連結用輪状部１４にライン（ハリス）を取り付ければ、図４に示すように、釣り針Ｐが連結用輪状部１４を介してライン（ハリス）Ｒに連結される。
【００９５】
この連結方法によっても、第４の連結方法と同様に結び目１５が、紐中に紐が貫通した状態で形成されるので、より強固に連結用輪状部１４の大きさを保持固定することができると共に、第１の連結方法と同様にして連結用輪状部１４のリング径を適宜調整することができる。
【００９６】
［第１１の連結方法］
次に、図１２に示す連結具３０を用いて釣り針をルアー本体に連結する方法を、結び方を示す図１４と共に説明する。
【００９７】
まず、図１４（１）に示すように、連結具２０の針状硬質部３１を紐の端部に形成されている半輪状部３２ａに通して締め付け用輪状部１３を形成する。次いで、針状硬質部３１を釣り針（図示省略）の孔部とルアー本体（図示省略）の釣り針連結用孔部に通すと共に、当該締め付け用輪状部１３にも通す。次いで、当該半輪状部３２ａを押さえつつ針状硬質部３１を引いて、当該締め付け用輪状部１３を狭小化しながら半輪状部３２ａと共に締め付けることにより、図１４（２）に示す如き所望の大きさの連結用輪状部１４を形成する。次いで、図１４（２）に示すように、当該連結用輪状部１４以外の紐部に針状硬質部２１を突刺貫通せしめた後、当該連結用輪状部１４以外の紐部で結び目１５を形成する。尚、当該結び目１５の形成法は、連結用輪状部１４の大きさを保持固定し得るものであれば、図１４（２）に示す形成法に限定されず、例えば図１５（１）、（２）に示すように、複数回巻き通す結び目形成法であってもよい。
【００９８】
次いで、図１４（３）に示すように、当該結び目１５で連結用輪状部１４の大きさを保持固定した後、余分な紐部分を切断し、針状硬質部２１と共に除去すれば、図６に示すように、釣り針Ｐが連結用輪状部１４を介してルアー本体Ｑに連結されたルアーが得られる。
【００９９】
この連結方法によっても、第４の連結方法と同様に結び目１５が、紐中に紐が貫通した状態で形成されるので、より強固に連結用輪状部１４の大きさを保持固定することができると共に、第１の連結方法と同様にして連結用輪状部１４のリング径を適宜調整することができる。
【０１００】
［第１２の連結方法］
次に、図１２に示す連結具３０を用いてルアー本体をラインに連結する方法を、結び方を示す図１４と共に説明する。
【０１０１】
まず、図１４（１）に示すように、連結具２０の針状硬質部２１を紐の端部に形成されている半輪状部３２ａに通して締め付け用輪状部１３を形成する。次いで、紐１１の針状硬質部３１をルアー本体の（図示省略）の釣り針連結用孔部に通すと共に、当該締め付け用輪状部１３にも通す。次いで、当該半輪状部３２ａを押さえつつ紐１１の針状硬質部３１を引いて、当該締め付け用輪状部１３を狭小化しながら半輪状部３２ａと共に締め付けることにより、図１４（２）に示す如き所望の大きさの連結用輪状部１４を形成する。次いで、図１４（２）に示すように、当該連結用輪状部１４以外の紐部に針状硬質部２１を突刺貫通せしめた後、当該連結用輪状部１４以外の紐部で結び目１５を形成する。尚、当該結び目１５の形成法は、連結用輪状部１４の大きさを保持固定し得るものであれば、図１４（２）に示す形成法に限定されず、例えば図１５（１）、（２）に示すように、複数回巻き通す結び目形成法であってもよい。
【０１０２】
次いで、図１４（３）に示すように、当該結び目１５で連結用輪状部１４の大きさを保持固定した後、余分な紐部分を切断し、針状硬質部２１と共に除去する。次いで、当該連結用輪状部１４にライン（リーダー）を取り付ければ、図６に示すように、ルアー本体Ｑが連結用輪状部１４を介してライン（リーダー）Ｒに連結される。
【０１０３】
この連結方法によっても、第４の連結方法と同様に結び目１５が、紐中に紐が貫通した状態で形成されるので、より強固に連結用輪状部１４の大きさを保持固定することができると共に、第１の連結方法と同様にして連結用輪状部１４のリング径を適宜調整することができる。
【０１０４】
［第１３の連結方法］
次に、図１２に示す連結具３０を用いて釣り針をラインに連結する他の方法を、結び方を示す図１６と共に説明する。
【０１０５】
まず、図１６（１）に示すように、連結具３０の針状硬質部３１を釣り針（図示省略）の孔部に通した後、紐の端部に形成されている半輪状部３２ａに針状硬質部３１を通す。次いで、図１６（２）に示すように、紐の適宜部位に針状硬質部３１を突刺貫通せしめて釣り針が存在しない側に締め付け用輪状部１３を形成する。次いで、当該半端部輪状部３２ａを押さえつつ針状硬質部３１を外方に引いて、当該締め付け用輪状部１３を狭小化しながら半輪状部３２ａと共に締め付けることにより、図１６（３）に示す如き所望の大きさの連結用輪状部１４を形成する。次いで、図１６（３）に示すように、当該針状硬質部２１を当該連結用輪状部１４に巻き通して結び目１５を形成する。尚、当該結び目１５の形成法は、連結用輪状部１４の大きさを保持固定し得るものであれば、図１６（３）に示す形成法に限定されず、例えば図１７（１）、（２）、（３）に示すように、複数回巻き通したり、反対方向から巻き通す結び目形成であってもよい。
【０１０６】
次いで、図１６（４）に示すように、当該結び目１５で連結用輪状部１４の大きさを保持固定した後、余分な紐部分を切断し、針状硬質部３１と共に除去して、図４に示されるような連結用輪状部１４を備えた釣り針Ｐを得る。
【０１０７】
次いで、当該連結用輪状部１４にライン（ハリス）を取り付ければ、図４に示すように、釣り針Ｐが連結用輪状部１４を介してライン（ハリス）Ｒに連結される。
【０１０８】
この連結方法によっても、第４の連結方法と同様に結び目１５が、紐中に紐が貫通した状態で形成されるので、より強固に連結用輪状部１４の大きさを保持固定することができる。
【０１０９】
［第１４の連結方法］
次に、図１２に示す連結具３０を用いて釣り針をルアー本体に連結する他の方法を、結び方を示す図１６と共に説明する。
【０１１０】
まず、図１６（１）に示すように、連結具２０の針状硬質部３１を釣り針（図示省略）の孔部とルアー本体（図示省略）の釣り針連結用孔部に通した後、紐に形成されている半輪状部３２ａに針状硬質部３１を通す。次いで、図１６（２）に示すように、紐の適宜部位に針状硬質部２１を突刺貫通せしめて釣り針とルアー本体が存在しない側に締め付け用輪状部１３を形成する。次いで、当該半輪状部３２ａを押さえつつ針状硬質部３１を外方に引いて、当該締め付け用輪状部１３を狭小化しながら半輪状部３２ａと共に締め付けることにより、図１６（３）に示す如き所望の大きさの連結用輪状部１４を形成する。次いで、図１６（３）に示すように、当該針状硬質部２１を当該連結用輪状部１４に巻き通して結び目１５を形成する。尚、当該結び目１５の形成法は、連結用輪状部１４の大きさを保持固定し得るものであれば、図１６（３）に示す形成法に限定されず、例えば図１７（１）、（２）、（３）に示すように、複数回巻き通したり、反対方向から巻き通す結び目形成であってもよい。
【０１１１】
次いで、図１６（４）に示すように、当該結び目１５で連結用輪状部１４の大きさを保持固定した後、余分な紐部分を切断し、針状硬質部３１と共に除去すれば、図６に示すように、釣り針Ｐが連結用輪状部１４を介してルアー本体Ｑに連結されたルアーが得られる。
【０１１２】
この連結方法によっても、第４の連結方法と同様に結び目１５が、紐中に紐が貫通した状態で形成されるので、より強固に連結用輪状部１４の大きさを保持固定することができる。
【０１１３】
［第１５の連結方法］
次に、図１２に示す連結具３０を用いてルアー本体をラインに連結する他の方法を、結び方を示す図１６と共に説明する。
【０１１４】
まず、図１６（１）に示すように、連結具２０の針状硬質部２１をルアー本体（図示省略）のライン連結用孔部に通した後、紐の端部に形成されている半輪状部３２ａに針状硬質部３１を通す。次いで、図１６（２）に示すように、紐１１の適宜部位に針状硬質部３１を突刺貫通せしめてルアー本体が存在しない側に締め付け用輪状部１３を形成する。次いで、当該半輪状部３２ａを押さえつつ針状硬質部３１を外方に引いて、当該締め付け用輪状部１３を狭小化しながら半輪状部３２ａと共に締め付けることにより、図１６（３）に示す如き所望の大きさの連結用輪状部１４を形成する。次いで、図１６（３）に示すように、当該針状硬質部２１を当該連結用輪状部１４に巻き通して結び目１５を形成する。尚、当該結び目１５の形成法は、連結用輪状部１４の大きさを保持固定し得るものであれば、図１６（３）に示す形成法に限定されず、例えば図１７（１）、（２）、（３）に示すように、複数回巻き通したり、反対方向から巻き通す結び目形成であってもよい。
【０１１５】
次いで、図１６（４）に示すように、当該結び目１５で連結用輪状部１４の大きさを保持固定した後、余分な紐部分を切断し、針状硬質部２１と共に除去する。次いで、当該連結用輪状部１４にライン（リーダー）を取り付ければ、図６に示すように、ルアー本体Ｑが連結用輪状部１４を介してライン（リーダー）Ｒに連結される。
【０１１６】
この連結方法によっても、第４の連結方法と同様に結び目１５が、紐中に紐が貫通した状態で形成されるので、より強固に連結用輪状部１４の大きさを保持固定することができる。
【０１１７】
［第４の連結具］
図１８は、本発明連結具の第４の実施の形態を示すもので、連結具４０は、中空部を有するチューブ状紐４２の一端に、針状硬質部４１が一体に形成されて構成されている。ここに中空部を有する紐４２の形成法は特に限定されないが、その素材は第１の連結具１０と同様な素材を用いるのが好ましい。また、針状硬質部４１の材質や形成法もその如何を問わないが、第２の連結具２０と同様、中空部を有するチューブ状紐４２の他端を先細り状とした状態で合成樹脂により硬化処理したものが簡便である。
【０１１８】
［第１６の連結方法］
次に、図１８に示す連結具４０を用いて釣り針をラインに連結する方法を、結び方を示す図１９と共に説明する。
【０１１９】
まず、図１９（１）に示すように、連結具４０の針状硬質部４１を釣り針（図示省略）の孔部に通した後、当該針状硬質部４１をチューブ状紐４２の他端中空開口部４２ａから挿入すると共に、図１９（２）に示すように、適宜部位にて外部に突き抜けさせることにより、図１９（３）に示す如き所望の大きさの連結用輪状部１４を形成する。尚、当該突き抜け部を更に接着剤等で固定しても良い。
【０１２０】
次いで、図１９（４）に示すように、余分なチューブ状紐部分を切断し、針状硬質部４１と共に除去して、図４に示されるような連結用輪状部１４を備えた釣り針Ｐを得る。
【０１２１】
次いで、当該連結用輪状部１４にライン（ハリス）を取り付ければ、図４に示すように、釣り針Ｐが連結用輪状部１４を介してライン（ハリス）Ｒに連結される。
【０１２２】
この連結方法によれば、図２０の断面説明図に示されているように、チューブ状紐４２の中空部内にチューブ状紐４２が挿通された状態となっているので、紐同士の摩擦により、連結用輪状部１４の大きさを保持固定することができる。また、前記の如く、突き抜け部を更に接着剤等で固定した場合には、連結用輪状部１４の大きさをより強固に保持固定することができる。
【０１２３】
［第１７の連結方法］
次に、図１８に示す連結具４０を用いて釣り針をルアー本体に連結する方法を、結び方を示す図１９と共に説明する。
【０１２４】
まず、図１９（１）に示すように、連結具４０の針状硬質部４１を釣り針（図示省略）の孔部とルアー本体（図示省略）の釣り針連結用孔部に通した後、当該針状硬質部４１をチューブ状紐４２の他端中空開口部４２ａから挿入すると共に、図１９（２）に示すように、適宜部位にて外部に突き抜けさせることにより、図１９（３）に示す如き所望の大きさの連結用輪状部１４を形成する。尚、当該突き抜け部を更に接着剤等で固定しても良い。
【０１２５】
次いで、図１９（４）に示すように、余分なチューブ状紐部分を切断し、針状硬質部４１と共に除去すれば、図６に示すように、釣り針Ｐが連結用輪状部１４を介してルアー本体Ｑに連結されたルアーが得られる。
【０１２６】
この連結方法によっても第１６の連結方法と同様に、チューブ状紐４２の中空部内にチューブ状紐４２が挿通された状態となっているので、紐同士の摩擦により、連結用輪状部１４の大きさを保持固定することができる。また、前記の如く、突き抜け部を更に接着剤等で固定した場合には、連結用輪状部１４の大きさをより強固に保持固定することができる。
【０１２７】
［第１８の連結方法］
次に、図１８に示す連結具４０を用いてルアー本体をラインに連結する方法を、結び方を示す図１９と共に説明する。
【０１２８】
まず、図１９（１）に示すように、連結具４０の針状硬質部４１をルアー本体（図示省略）のライン連結用孔部に通した後、当該針状硬質部４１をチューブ状紐４２の他端中空開口部４２ａから挿入すると共に、図１９（２）に示すように、適宜部位にて外部に突き抜けさせることにより、図１９（３）に示す如き所望の大きさの連結用輪状部１４を形成する。尚、当該突き抜け部を更に接着剤等で固定しても良い。
【０１２９】
次いで、図１９（４）に示すように、余分なチューブ状紐部分を切断し、針状硬質部４１と共に除去する。
【０１３０】
次いで、当該連結用輪状部１４にライン（ハリス）を取り付ければ、図６に示すように、釣り針Ｐが連結用輪状部１４を介してライン（ハリス）Ｒに連結される。
【０１３１】
この連結方法によっても、第１６の連結方法と同様に、チューブ状紐４２の中空部内にチューブ状紐４２が挿通された状態となっているので、紐同士の摩擦により、連結用輪状部１４の大きさを保持固定することができる。また、前記の如く、突き抜け部を更に接着剤等で固定した場合には、連結用輪状部１４の大きさをより強固に保持固定することができる。
【０１３２】
［第１９の連結方法］
次に、図２１に示す１本の紐５０を用いて釣り針をラインに連結する方法を、結び方を示す図２２と共に説明する。尚、ここに紐５０の素材としては第１の連結具１０の素材と同様なものが好適に用いられる。
【０１３３】
まず、図２２（１）に示すように、１本の紐５０を二ツ折して屈曲部に半輪状部５０ａを形成した後、図２２（２）に示すように、紐の端部５１を当該半輪状部５０ａに通して締め付け用輪状部１３を形成する。次いで、紐の端部５１を釣り針（図示省略）の孔部に通すと共に、当該締め付け用輪状部１３にも通す。次いで、当該半輪状部５０ａを押さえつつ紐の端部５１を引いて当該締め付け用輪状部１３を狭小化しながら半輪状部５０ａと共に締め付けることにより、図２２（３）に示す如き所望の大きさの連結用輪状部１４を形成する。次いで、図２２（３）に示すように、当該連結用輪状部以外の紐部で結び目１５を形成する。尚、当該結び目１５の形成法は、連結用輪状部１４の大きさを保持固定し得るものであれば、図２２（３）に示す形成法に限定されず、例えば図２３（１）、（２）に示すように、複数回巻き通す結び目形成法であってもよい。
【０１３４】
次いで、図２２（４）に示すように、当該結び目１５で連結用輪状部１４の大きさを保持固定した後、余分な紐部分を切断除去して図４に示されるような連結用輪状部１４を備えた釣り針Ｐを得る。
【０１３５】
次いで、当該連結用輪状部１４にライン（ハリス）を取り付ければ、図４に示すように、釣り針Ｐが連結用輪状部１４を介してライン（ハリス）Ｒに連結される。
【０１３６】
この連結方法によっても、第１の連結方法と同様にして連結用輪状部１４のリング径を適宜調整することができる。
【０１３７】
［第２０の連結方法］
次に、図２１に示す１本の紐５０を用いて釣り針をルアー本体に連結する方法を、結び方を示す図２２と共に説明する。
【０１３８】
まず、図２２（１）に示すように、１本の紐５０を二ツ折して屈曲部に半輪状部５０ａを形成した後、図２２（２）に示すように、紐の端部５１を当該半輪状部５０ａに通して締め付け用輪状部１３を形成する。次いで、紐の端部５１を釣り針（図示省略）の孔部とルアー本体（図示省略）の釣り針連結用孔部に通すと共に、当該締め付け用輪状部１３にも通す。次いで、当該半輪状部５０ａを押さえつつ紐の端部５１を引いて当該締め付け用輪状部１３を狭小化しながら半輪状部５０ａと共に締め付けることにより、図２２（３）に示す如き所望の大きさの連結用輪状部１４を形成する。次いで、図２２（３）に示すように、当該連結用輪状部以外の紐部で結び目１５を形成する。尚、当該結び目１５の形成法は、連結用輪状部１４の大きさを保持固定し得るものであれば、図２２（３）に示す形成法に限定されず、例えば図２３（１）、（２）に示すように、複数回巻き通す結び目形成法であってもよい。
【０１３９】
次いで、図２２（４）に示すように、当該結び目１５で連結用輪状部１４の大きさを保持固定した後、余分な紐部分を切断除去すれば、図６に示すように、釣り針Ｐが連結用輪状部１４を介してルアー本体Ｑに連結されたルアーが得られる。
【０１４０】
この連結方法によっても、第１の連結方法と同様にして連結用輪状部１４のリング径を適宜調整することができる。
【０１４１】
［第２１の連結方法］
次に、図２１に示す１本の紐５０を用いてルアー本体をラインに連結する方法を、結び方を示す図２２と共に説明する。
【０１４２】
まず、図２２（１）に示すように、１本の紐５０を二ツ折して中央部に半輪状部５０ａを形成した後、図２２（２）に示すように、紐の端部５１を当該半輪状部５０ａに通して締め付け用輪状部１３を形成する。次いで、紐の端部５１をルアー本体（図示省略）の釣り針連結用孔部に通すと共に、当該締め付け用輪状部１３にも通す。次いで、当該半輪状部５０ａを押さえつつ紐の端部５１を引いて当該締め付け用輪状部１３を狭小化しながら半輪状部５０ａと共に締め付けることにより、図２２（３）に示す如き所望の大きさの連結用輪状部１４を形成する。次いで、図２２（３）に示すように、当該連結用輪状部以外の紐部で結び目１５を形成する。尚、当該結び目１５の形成法は、連結用輪状部１４の大きさを保持固定し得るものであれば、図２２（３）に示す形成法に限定されず、例えば図２３（１）、（２）に示すように、複数回巻き通す結び目形成法であってもよい。
【０１４３】
次いで、図２２（４）に示すように、当該結び目１５で連結用輪状部１４の大きさを保持固定した後、余分な紐部分を切断除去する。
【０１４４】
次いで、当該連結用輪状部１４にライン（リーダー）を取り付ければ、図６に示すように、ルアー本体Ｑが連結用輪状部１４を介してライン（リーダー）Ｒに連結される。
【０１４５】
この連結方法によっても、第１の連結方法と同様にして連結用輪状部１４のリング径を適宜調整することができる。
【図面の簡単な説明】
【０１４６】
【図１】本発明の第１の連結具を示す正面説明図。
【図２】本発明における第１の結び方を示す正面手順説明図。
【図３】本発明における第１の結び方の変形例を示す正面説明図。
【図４】本発明の釣り針にライン（ハリス）を連結した状態を示す斜視説明図。
【図５】本発明の釣り針にライン（ハリス）を連結した状態を示す拡大斜視説明図。
【図６】本発明のルアーにライン（リーダー）を連結した状態を示す斜視説明図。
【図７】本発明の第２の連結具を示す正面説明図。
【図８】本発明における第２の結び方を示す正面手順説明図。
【図９】本発明における第２の結び方の変形例を示す正面説明図。
【図１０】本発明における第３の結び方を示す正面手順説明図。
【図１１】本発明における第３の結び方の変形例を示す正面説明図。
【図１２】本発明の第３の連結具を示す正面説明図。
【図１３】本発明の第３の連結具の変形例を示す正面説明図。
【図１４】本発明における第４の結び方を示す正面手順説明図。
【図１５】本発明における第４の結び方の変形例を示す正面説明図。
【図１６】本発明における第５の結び方を示す正面手順説明図。
【図１７】本発明における第５の結び方の変形例を示す正面説明図。
【図１８】本発明の第４の連結具を示す正面説明図。
【図１９】本発明における第６の結び方を示す正面手順説明図。
【図２０】図１９（４）に示す連結用輪状部の拡大断面説明図。
【図２１】本発明の連結方法に用いる紐の正面説明図。
【図２２】本発明における第７の結び方を示す正面手順説明図。
【図２３】本発明における第７の結び方の変形例を示す正面説明図。
【符号の説明】
【０１４７】
１０：第１の連結具
１１：紐
１１ａ：紐の他端
１２：端部輪状部
１３：締め付け用輪状部
１４：連結用輪状部
１５：結び目
２０：第２の連結具
２１：針状硬質部
３０：第３の連結具
３１：針状硬質部
３１ａ：基端部
３２：紐製輪状部
３２ａ：半輪状部
４０：第４の連結具
４１：針状硬質部
４２：チューブ状紐
４２ａ：中空開口部
５０：紐
５０ａ：半輪状部
５１：紐の端部
Ｐ：釣り針
Ｑ：ルアー本体
Ｒ：ライン
【図１】
2010110274.tif 000003
【図２】
2010110274.tif 000004
【図３】
2010110274.tif 000005
【図４】
2010110274.tif 000006
【図５】
2010110274.tif 000007
【図６】
2010110274.tif 000008
【図７】
2010110274.tif 000009
【図８】
2010110274.tif 000010
【図９】
2010110274.tif 000011
【図１０】
2010110274.tif 000012
【図１１】
2010110274.tif 000013
【図１２】
2010110274.tif 000014
【図１３】
2010110274.tif 000015
【図１４】
2010110274.tif 000016
【図１５】
2010110274.tif 000017
【図１６】
2010110274.tif 000018
【図１７】
2010110274.tif 000019
【図１８】
2010110274.tif 000020
【図１９】
2010110274.tif 000021
【図２０】
2010110274.tif 000022
【図２１】
2010110274.tif 000023
【図２２】
2010110274.tif 000024
【図２３】
2010110274.tif 000025